(57)【要約】【課題】ライン型記録ヘッドを通過中において、用紙の浮き上がりやコックリングによるインク汚れの発生を防止できる画像形成装置を提供する。【解決手段】所定幅の画像形成範囲を有する複数のライン型記録ヘッド５１、５２を搬送面３の上方に千鳥状に配列し、前段の第１の搬送ローラ４１を前段の第１のライン型記録ヘッド５１の上流側に配置し、後段の第２の搬送ローラ４２を前段の第１のライン型記録ヘッド５１の画像形成範囲外に配置した。【選択図】図１
2009248348.tif 000002
【特許請求の範囲】
【請求項１】
記録媒体を搬送面上で搬送方向に移動させる上下一対の搬送ローラと、前記搬送方向と直交する方向に所定幅の画像形成範囲を有するライン型記録ヘッドとを有し、
複数のライン型記録ヘッドを搬送面の上方に千鳥状に配列し、前記搬送方向と直交する方向に所定間隔で並列配置した複数のライン型記録ヘッドで記録ヘッド列を形成するとともに、記録ヘッド列を前記搬送方向に沿って多段に配置し、
搬送ローラを前記搬送方向に沿って多段に配置し、前段の搬送ローラを前段のライン型記録ヘッドの上流側に配置し、後段の搬送ローラを前段のライン型記録ヘッドの画像形成範囲外に配置したことを特徴とする画像形成装置。
【請求項２】
後段の搬送ローラは、前段の記録ヘッド列と後段の記録ヘッド列との間に配置することを特徴とする請求項１に記載の画像形成装置。
【請求項３】
搬送ローラは、上下に対をなす上側搬送ローラと下側搬送ローラとからなり、下側搬送ローラの回転軸心が上側搬送ローラの回転軸心よりも前記搬送方向において上流側に位置することを特徴とする請求項１または２に記載の画像形成装置。
【請求項４】
後段の搬送ローラの上流側における前段のライン型記録ヘッドの画像形成範囲外に、記録媒体と前段のライン型記録ヘッドとの接触を規制する規制部材を、搬送面と対向して配置したことを特徴とする請求項１〜３の何れか１項に記載の画像形成装置。
【請求項５】
前段のライン型記録ヘッドの上流側に、前記搬送方向と直交する方向に少なくともライン型記録ヘッドと同等の所定幅を有する用紙導入部材を、搬送面と対向して配置したことを特徴とする請求項１〜４の何れか１項に記載の画像形成装置。
【請求項６】
最後段のライン型記録ヘッドより前記搬送方向において下流側に、記録媒体を前記搬送方向へ搬送する吸引搬送手段を設けたことを特徴とする請求項１〜５の何れか１項に記載の画像形成装置。
【請求項７】
最後段のライン型記録ヘッドより前記搬送方向において下流側に、記録媒体と点接触する点接触ローラを設けたことを特徴とする請求項１〜５の何れか１項に記載の画像形成装置。
【発明の詳細な説明】
【技術分野】
【０００１】
本発明は、複数のライン型記録ヘッド、例えば複数のインクジェット方式のライン型記録ヘッドを並列に配置して実質的に記録領域の幅を広げた画像形成装置に関し、特に用紙の浮き上がりを抑制する技術に係るものである。
【背景技術】
【０００２】
従来、インクジェット方式の画像形成装置、例えばインクジェット式印刷機において鮮明な印字結果を得るためには、幾つかの課題がある。
一つには紙間の問題である。印字対象の記録媒体、一般的には印刷用紙とインクジェット記録ヘッドとの間隔である紙間はできるだけ狭く設定する必要がある。
【０００３】
しかしながら、印刷用紙は湿気を吸収すると表裏面における水分量の相違により用紙の巻き込み現象、つまりカール現象を生じることが多い。
インクジェット式印刷機のインクとしては、オイル成分をほとんど含まない水性インクを主として使用している。このため、印刷時に用紙表面に液体インクを刷り写すと、そのインク水分が用紙表面から急速に用紙中へ浸透してカール現象が急速に発生する。あるいは紙面が波打つ現象、つまりコックリングを発生する。
【０００４】
したがって、インクジェット式印刷機においては、用紙搬送面からインクジェット記録ヘッドへ向けた紙面の浮き上がりを防止して紙間をできるだけ狭く維持しつつ印刷することで、鮮明な印字結果を得ることができる。
【０００５】
このため、特許文献１においては、記録媒体の状態（コックリング、カール等）にかかわらず、記録媒体が記録ヘッド側へ浮き上がることを防止するために、記録ヘッドの対向位置において記録媒体を案内支持するプラテンに向けて記録媒体を押さえる弾性部材を記録領域よりも上流側に配置しており、弾性部材が記録媒体の剛性に応じて弾性変形する。
【０００６】
次に、インクジェット式印刷機では記録領域の幅を広げる方法として、複数のライン型記録ヘッドを並列に配置してヘッドユニットを構成し、複数のヘッドユニットを印刷用紙の搬送方向に多段に配置し、かつライン型記録ヘッドを千鳥状に配置する構成がある。
【０００７】
しかしながら、この構成では上述した問題、つまり用紙の浮き上がりやコックリングの発生がより顕著になる。
このため、特許文献２では、複数の記録ヘッドにより構成されたヘッドユニットを備えたラインヘッド型記録装置において、記録媒体の撓みを防止するために、用紙搬送方向において記録ヘッドの下流側の位置に、回転軸で回転自在に支持して撓み防止部材を配置しており、撓み防止部材が先鋭な頂点を有する略多角形の薄板部材から成る。
【特許文献１】特開平１１−１３８９２３号公報
【特許文献２】特開２００７−１７６００２号公報
【発明の開示】
【発明が解決しようとする課題】
【０００８】
しかしながら、特許文献１の構成において、弾性部材がその作用を記録媒体である印刷用紙へ及ぼす位置は、インクジェット記録ヘッドにおける用紙搬送方向の最上流位置である用紙導入部だけであって、インクジェット記録ヘッドを通過中の用紙に対しては押圧する作用が及ばない。
【０００９】
また、特許文献２の構成においては、記録媒体の撓みを防止するために配置した撓み防止部材が、用紙搬送方向において記録ヘッドの下流側の位置で、印字の直後に記録媒体である印刷用紙の印刷面に当接するので、インクによる汚れが紙面に発生する問題がある。
【００１０】
本発明は上記した課題を解決するものであり、ライン型記録ヘッドを通過中において、用紙の浮き上がりやコックリングによるインク汚れの発生を防止できる画像形成装置を提供することを目的とする。
【課題を解決するための手段】
【００１１】
上記課題を解決するために、本発明の画像形成装置は、記録媒体を搬送面上で搬送方向に移動させる上下一対の搬送ローラと、前記搬送方向と直交する方向に所定幅の画像形成範囲を有するライン型記録ヘッドとを有し、複数のライン型記録ヘッドを搬送面の上方に千鳥状に配列し、前記搬送方向と直交する方向に所定間隔で並列配置した複数のライン型記録ヘッドで記録ヘッド列を形成するとともに、記録ヘッド列を前記搬送方向に沿って多段に配置し、搬送ローラを前記搬送方向に沿って多段に配置し、前段の搬送ローラを前段のライン型記録ヘッドの上流側に配置し、後段の搬送ローラを前段のライン型記録ヘッドの画像形成範囲外に配置したことを特徴とする。
【００１２】
また、本発明の画像形成装置において、後段の搬送ローラは、前段の記録ヘッド列と後段の記録ヘッド列との間に配置することを特徴とする。
また、本発明の画像形成装置において、搬送ローラは、上下に対をなす上側搬送ローラと下側搬送ローラとからなり、下側搬送ローラの回転軸心が上側搬送ローラの回転軸心よりも前記搬送方向において上流側に位置することを特徴とする。
【００１３】
また、本発明の画像形成装置において、後段の搬送ローラの上流側における前段のライン型記録ヘッドの画像形成範囲外に、記録媒体と前段のライン型記録ヘッドとの接触を規制する規制部材を、搬送面と対向して配置したことを特徴とする。
【００１４】
また、本発明の画像形成装置において、前段のライン型記録ヘッドの上流側に、前記搬送方向と直交する方向に少なくともライン型記録ヘッドと同等の所定幅を有する用紙導入部材を、搬送面と対向して配置したことを特徴とする。
【００１５】
また、本発明の画像形成装置において、最後段のライン型記録ヘッドより前記搬送方向において下流側に、記録媒体を前記搬送方向へ搬送する吸引搬送手段を設けたことを特徴とする。
【００１６】
また、本発明の画像形成装置において、最後段のライン型記録ヘッドより前記搬送方向において下流側に、記録媒体と点接触する点接触ローラを設けたことを特徴とする。
【発明の効果】
【００１７】
以上のように本発明によれば、記録媒体の搬送方向に沿って多段に配置した記録ヘッド列の各ライン型記録ヘッドが所定幅の画像形成範囲において記録媒体に画像を形成することで、記録媒体の任意の位置に画像を形成する。
【００１８】
つまり、前段の搬送ローラにより浮き上がりを防止する状態で、記録媒体を前段のライン型記録ヘッドと搬送面との間に搬送して前段のライン型記録ヘッドで記録媒体に画像を形成する。さらに、前段のライン型記録ヘッドを通過した記録媒体を後段の搬送ローラで浮き上がりを防止する状態で後段のライン型記録ヘッドと搬送面との間に搬送し、後段のライン型記録ヘッドで記録媒体に画像を形成する。
【００１９】
この際に、ライン型記録ヘッドは搬送面の上方に千鳥状に配列しているので、前段のライン型記録ヘッドの画像形成範囲と後段のライン型記録ヘッドの画像形成範囲が重ならず、後段の搬送ローラを前段のライン型記録ヘッドの画像形成範囲外に配置することが可能になる。
【００２０】
よって、後段の搬送ローラは前段のライン型記録ヘッドにより画像形成した画像形成済領域に触れることなく記録媒体に当接し、記録媒体が搬送面上から浮き上がることを防止できる。
【００２１】
したがって、記録媒体とライン型記録ヘッドとの間隔である紙間を狭く設定しても記録媒体がライン型記録ヘッドに当接することがなく、鮮明な印字結果を得ることができる。  次に、後段の搬送ローラを前段の記録ヘッド列と後段の記録ヘッド列との間に配置することで、前段の搬送ローラと後段の搬送ローラとが前段のライン型記録ヘッドを隔てた搬送方向の前後位置で記録媒体の浮き上がりを防止して、鮮明な印字結果を実現する。
【００２２】
次に、搬送ローラにおいて、下側搬送ローラの回転軸心が上側搬送ローラの回転軸心よりも前記搬送方向において上流側に位置することで、搬送ローラを通過する際に、記録媒体は搬送面に向けて斜め下方に送り出される。よって、記録媒体は、ライン型記録ヘッドから離間する方向に付勢されながら、ライン型記録ヘッドと搬送面との間を通過するので、記録媒体とライン型記録ヘッドとの間隔である紙間を狭く設定しても記録媒体がライン型記録ヘッドに当接することがなく、インク汚れが発生せず、鮮明な印字結果を得ることができる。
【００２３】
次に、後段の搬送ローラの上流側における前段のライン型記録ヘッドの画像形成範囲外に、記録媒体と前段のライン型記録ヘッドとの接触を規制する規制部材を、搬送面と対向して配置することにより、記録媒体が前段のライン型記録ヘッドを通過する際に、搬送方向に沿って規制部材が記録媒体の浮き上がりを防止するので、記録媒体とライン型記録ヘッドとの間隔である紙間を狭く設定しても記録媒体がライン型記録ヘッドに当接することがなく、インク汚れが発生せず、鮮明な印字結果を得ることができる。
【００２４】
次に、前段のライン型記録ヘッドの上流側に、前記搬送方向と直交する方向に少なくともライン型記録ヘッドと同等の所定幅を有する用紙導入部材を、搬送面と対向して配置することにより、記録媒体を前段のライン型記録ヘッドと搬送面との間に導入する際のジャムの発生を抑制することができる。
【００２５】
次に、最後段のライン型記録ヘッドより前記搬送方向において下流側に、記録媒体を前記搬送方向へ搬送する吸引搬送手段を設けることにより、画像を形成した後において記録媒体の画像形成面に接触することなく、吸引搬送手段により記録媒体を搬送することができる。
【００２６】
次に、最後段のライン型記録ヘッドより前記搬送方向において下流側に、記録媒体と点接触する点接触ローラを設けることにより、画像を形成した後において記録媒体の画像形成面に対して点接触ローラが最小限に接触する状態で記録媒体を搬送することができる。
【発明を実施するための最良の形態】
【００２７】
以下、本発明の実施の形態を図面に基づいて説明する。本実施の形態では、画像形成装置としてインクジェット印刷装置について説明する。
図１〜図５において、インクジェット印刷装置１は、記録媒体である印刷用紙２を搬送面３の上で搬送方向Ａに移動させる上下一対の搬送ローラ４と、複数のライン型記録ヘッド５を有している。ライン型記録ヘッド５は搬送方向Ａと直交する方向に所定幅の画像形成範囲を有しており、図１および図２において模式的にかつ透過的に示すように、ライン状に形成した複数のインク吐出部５ａを搬送方向Ａに沿って複数段に配置したものであり、一つのインク吐出部５ａにおいて複数色を吐出するタイプであっても良く、一つのインク吐出部５ａにおいて単色を吐出し、インク吐出部５ａ毎に異なる色を吐出するタイプであっても良く、その構造は公知のものであるので説明を省略する。
【００２８】
搬送面３は低摩擦部材で構成しても良く、低摩擦剤をコーティングしたものでも良く、搬送方向Ａに沿った複数のリブを形成したものでも良い。搬送面３の上方には、複数のライン型記録ヘッド５が千鳥状に配列してあり、搬送方向Ａと直交する方向に所定間隔で並列配置した複数のライン型記録ヘッド５で記録ヘッド列を形成し、記録ヘッド列を搬送方向Ａに沿って多段に配置してあり、搬送面３には各ライン型記録ヘッド５に対応する位置に開口部６ａを設けている。
【００２９】
このため、搬送方向Ａと直交する方向においては、全てのライン型記録ヘッド５の画像形成範囲が重なることはなく、複数のライン型記録ヘッド５を並列に配置して実質的に記録領域の幅を広げた画像形成装置をなす。本実施の形態では、２つの記録ヘッド列を搬送方向Ａの前後に配置しているが、記録ヘッド列の数は本実施の形態に例示する構成に限るものではない。
【００３０】
以下において、ライン型記録ヘッド５は、前段の記録ヘッド列に配列したものを第１のライン型記録ヘッド５１とし、後段の記録ヘッド列に配列したものを第２のライン型記録ヘッド５２として説明し、搬送ローラ４は、前段のものを第１の搬送ローラ４１とし、後段のものを第２の搬送ローラ４２とし、最後段のものを第３の搬送ローラ４３として説明する。
【００３１】
搬送ローラ４は搬送方向Ａに沿って多段に配置し、前段の第１のライン型記録ヘッド５１の上流側にそれぞれ第１の搬送ローラ４１を配置するとともに、後段の第２のライン型記録ヘッド５２の上流側にそれぞれ第２の搬送ローラ４２を配置し、後段の記録ヘッド列の下流側に第３の搬送ローラ４３を配置している。搬送方向Ａにおける搬送ローラ４の数は本実施の形態に例示する構成に限るものではない。
【００３２】
第２の搬送ローラ４２は前段の第１のライン型記録ヘッド５１の画像形成範囲外、つまり隣接し合う第１のライン型記録ヘッド５１の間に対応し、かつ搬送方向Ａにおいて前段の第１のライン型記録ヘッド５１と後段の第２のライン型記録ヘッド５２との間に配置している。
【００３３】
第３の搬送ローラ４３は後段の第２のライン型記録ヘッド５２の画像形成範囲外、つまり隣接し合う第２のライン型記録ヘッド５２の間に対応している。
図３に示すように、第１の搬送ローラ４１、第２の搬送ローラ４２および第３の搬送ローラ４３は、搬送面３に設けた開口部６ｂに配置してあり、それぞれ上下に対をなす上側搬送ローラ（従動ローラ）４１ａ、４２ａ、４３ａと下側搬送ローラ（駆動ローラ）４１ｂ、４２ｂ、４３ｂとからなる。第１の搬送ローラ４１、第２の搬送ローラ４２においては、下側搬送ローラ４１ｂ、４２ｂの駆動軸７の回転軸心が上側搬送ローラ４１ａ、４２ａの従動軸８の回転軸心よりも搬送方向Ａにおいて上流側に位置している。第３の搬送ローラ４３においては、下側搬送ローラ４３ｂの駆動軸７の回転軸心が上側搬送ローラ４３ａの従動軸８の回転軸心よりも搬送方向Ａにおいて下流側に位置している。第３の搬送ローラ４３の上側搬送ローラ４３ａは印刷用紙２と点接触する点接触ローラをなす。
【００３４】
搬送面３の上方には規制部材９が搬送面３と対向して、かつ搬送面３との間に所定間隙（例えば２ｍｍ）を介して配置してある。図３（ｂ）に示すように、規制部材９は、第１のライン型記録ヘッド５１よりも搬送方向Ａの上流側へ所定距離だけ延在し、搬送方向Ａで第２のライン型記録ヘッド５２の上流側直近まで延在している。
【００３５】
規制部材９は導電性材料からなり、印刷用紙２に帯電した静電気を除去して用紙の張付きを防止し、印刷用紙２と前段の第１のライン型記録ヘッド５１との接触を規制するものであり、規制部材９の下面が第１のライン型記録ヘッド５１および第２のライン型記録ヘッド５２の下面よりも所定距離（例えば０．５ｍｍ）だけ下方に突出し、下側搬送ローラ４１ｂ、４２ｂが搬送面３から上方へ所定距離（例えば０．８ｍｍ）だけ突出している。
【００３６】
規制部材９は、後段の第２のライン型記録ヘッド５２の上流側において、前段の第１のライン型記録ヘッド５１の画像形成範囲外、つまり隣接し合う第１のライン型記録ヘッド５１の間に位置している。
【００３７】
前段の第１のライン型記録ヘッド５１の上流側には、用紙導入部材１０が搬送面３と対向して、かつ搬送面３との間に所定間隙（例えば２ｍｍ）を介して配置してある。図３（ａ）に示すように、用紙導入部材１０は、第１のライン型記録ヘッド５１の上流側直近から搬送方向Ａの上流側へ所定距離だけ延在している。
用紙導入部材１０は搬送方向Ａと直交する方向に少なくとも第１のライン型記録ヘッド５１と同等の所定幅を有しており、規制部材９と規制部材９の間に配置している。用紙導入部材１０および規制部材９は搬送方向Ａの上流側端面の角部が面取りした形状をなし、搬送面３との間が広く開いており、印刷用紙２のエッジを逃がす構造をなす。
【００３８】
搬送面３の下方には、キャップ１１が開口部６ａを介して第１のライン型記録ヘッド５１および第２のライン型記録ヘッド５２に対向している。キャップ１１は印刷待機時等において第１のライン型記録ヘッド５１および第２のライン型記録ヘッド５２に嵌合して保湿機能を果たすものであり、第１、第２、第３の搬送ローラ４１、４２、４３で印刷用紙２を搬送する構成とすることによりその設置が、印刷用紙２の搬送にベルトを使用する場合に比べて容易となる。
【００３９】
図４に示すように、第２の搬送ローラ４２の上流側には補助ガイド１２を設けることも可能であり、補助ガイド１２は印刷用紙２を上側搬送ローラ４２ａと下側搬送ローラ４２ｂとの間に向けて搬送面３から上方へ案内する。
【００４０】
また、図６に示すように、第３の搬送ローラ４３に代えて、後段の第２のライン型記録ヘッド５２より搬送方向Ａにおいて下流側に、吸引搬送手段をなす吸引搬送ベルト装置１３を配置することも可能であり、吸引搬送ベルト装置１３は印刷用紙２をエア吸引により搬送ベルト１４に吸着して搬送方向Ａへ搬送する。
【００４１】
上記した構成により、本実施の形態では以下の作用効果を奏する。
印刷用紙Ａの搬送方向Ａに沿って多段に記録ヘッド列を配置し、各記録ヘッド列の第１のライン型記録ヘッド５１および第２のライン型記録ヘッド５２がそれぞれ所定幅の画像形成範囲において印刷用紙２に画像（印字）を形成することで、印刷用紙２の任意の位置に画像を形成することができる。
【００４２】
つまり、前段の第１の搬送ローラ４１の上側搬送ローラ４１ａと下側搬送ローラ４１ｂとで印刷用紙２をピンチして浮き上がりを防止する状態で搬送方向Ａに搬送し、印刷用紙２を第１のライン型記録ヘッド５１と搬送面３との間に搬送して第１のライン型記録ヘッド５１で印刷用紙２に画像を形成する。
【００４３】
さらに、第１のライン型記録ヘッド５１を通過した印刷用紙２を第２の搬送ローラ４２の上側搬送ローラ４２ａと下側搬送ローラ４２ｂとでピンチして浮き上がりを防止する状態で搬送方向Ａに搬送し、印刷用紙２を第２のライン型記録ヘッド５２と搬送面３との間に搬送して第２のライン型記録ヘッド５２で印刷用紙２に画像を形成する。
【００４４】
この際に、ライン型記録ヘッド５は搬送面３の上方に千鳥状に配列しているので、前段の第１のライン型記録ヘッド５１の画像形成範囲と後段の第２のライン型記録ヘッド５２の画像形成範囲が重ならず、後段の第２の搬送ローラ４２を前段の第１のライン型記録ヘッド５１の画像形成範囲外に配置することが可能になる。
【００４５】
よって、後段の第２の搬送ローラ４２は前段の第１のライン型記録ヘッド５１により画像形成した画像形成済領域に触れることなく印刷用紙２に当接し、印刷用紙２が搬送面３の上から浮き上がることを防止できる。
【００４６】
さらに、後段の第２の搬送ローラ４２を前段の記録ヘッド列と後段の記録ヘッド列との間に配置することで、前段の第１の搬送ローラ４１と後段の第２の搬送ローラ４２とが前段の第１のライン型記録ヘッド５１を隔てた搬送方向Ａの前後位置で印刷用紙２の浮き上がりを防止する。
【００４７】
したがって、印刷用紙２と第１および第２のライン型記録ヘッド５１、５２との間隔である紙間を狭く設定しても印刷用紙２が第１および第２のライン型記録ヘッド５１、５２に当接することがなく、鮮明な印字結果を得ることができる。
【００４８】
次に、第１および第２の搬送ローラ４１、４２において、下側搬送ローラ４１ｂ、４２ｂの回転軸心が上側搬送ローラ４１ａ、４２ａの回転軸心よりも搬送方向Ａにおいて上流側に位置することで、搬送ローラ４１、４２を通過する際に、印刷用紙２は搬送面３に向けて斜め下方に送り出される。つまり、印刷用紙２は下方へ向けてカールするように矯正される。
【００４９】
よって、印刷用紙２は、第１および第２のライン型記録ヘッド５１、５２から離間する方向に付勢されながら、第１および第２のライン型記録ヘッド５１、５２と搬送面３との間を通過する。また、印刷用紙２が前段の第１のライン型記録ヘッド５１を通過する際に、搬送方向Ａに沿って規制部材９が印刷用紙２の浮き上がりを防止する。搬送ローラ４１、４２が印刷用紙２を下方へ向けてカールするように矯正することで、搬送方向Ａにおいて第２のライン型記録ヘッド５２に沿った領域には、印刷用紙２の浮き上がりを防止する規制部材を配置する必要がない。
【００５０】
したがって、印刷用紙２と第１および第２のライン型記録ヘッド５１、５２との間隔である紙間を狭く設定しても印刷用紙２が第１および第２のライン型記録ヘッド５１、５２に当接することがなく、インク汚れが発生せず、鮮明な印字結果を得ることができる。
【００５１】
また、用紙導入部材１０が、印刷用紙２を前段の第１のライン型記録ヘッド５１と搬送面３との間に導入する際のジャムの発生を抑制する。
次に、第３の搬送ローラ４３の上側搬送ローラ４３ａが点接触ローラをなすことで、画像を形成した後において印刷用紙２の画像形成面に対して最小限に接触する状態で印刷用紙２を搬送することができる。
【００５２】
また、第３の搬送ローラ４３に代えて、吸引搬送ベルト装置１３を配置する場合には、画像を形成した後において印刷用紙２の画像形成面に接触することなく、印刷用紙２をエア吸引により搬送ベルト１４に吸着して搬送方向Ａへ搬送することができる。
【図面の簡単な説明】
【００５３】
【図１】本発明の実施の形態におけるインクジェット印刷装置の構成を示す平面図
【図２】同インクジェット印刷装置の構成を示す平面図
【図３】同インクジェット印刷装置の構成を示し、（ａ）は図２のＡ−Ａ矢視断面図、（ｂ）は図２のＢ−Ｂ矢視断面図
【図４】同インクジェット印刷装置における補助ガイドを示す側面図
【図５】同インクジェット印刷装置を示す斜視図
【図６】同インクジェット印刷装置の他の構成を示す側面図
【符号の説明】
【００５４】
Ａ    搬送方向
１    インクジェット印刷装置
２    印刷用紙
３    搬送面
４    搬送ローラ
５    ライン型記録ヘッド
５ａ  インク吐出部
６ａ、６ｂ  開口部
７    駆動軸
８    従動軸
９    規制部材
１０    用紙導入部材
１１    キャップ
１２    補助ガイド
１３    吸引搬送ベルト装置
１４    搬送ベルト
４１    第１の搬送ローラ
４２    第２の搬送ローラ
４３    第３の搬送ローラ
４１ａ、４２ａ、４３ａ  上側搬送ローラ（従動ローラ）
４１ｂ、４２ｂ、４３ｂ  下側搬送ローラ（駆動ローラ）
５１    第１のライン型記録ヘッド
５２    第２のライン型記録ヘッド
【図１】
2009248348.tif 000003
【図２】
2009248348.tif 000004
【図３】
2009248348.tif 000005
【図４】
2009248348.tif 000006
【図５】
2009248348.tif 000007
【図６】
2009248348.tif 000008